(57)【要約】      （修正有）【課題】壁に穴を開けることなく照明器具を取り付け可能であり、しかも描写物をくまなく照射することが可能であり、一般家庭でも容易にトリックアートを楽しめる展示装置を提供する。【解決手段】展示物を貼り付けることが可能な板材であるフレーム１１の下部に突出辺１２を設け、突出辺に係止する係止片２２をブラックライトを備える照明器具本体２１に設け、照明器具本体から斜め上方に延設されたブラックライト取り付け部２３を設けて構成する。【選択図】図１
0003192827.tif 000002
【実用新案登録請求の範囲】
【請求項１】
展示物を貼り付けることが可能な板材であるフレーム（１１）の下部に突出辺（１２）を設けたこと、
該突出辺（１２）に係止する係止片（２２）を、ブラックライト（３０）を備える照明器具本体（２１）に設けたこと、
照明器具本体（２１）から斜め上方に延設されたブラックライト取り付け部（２３）を設けたこと、
を特徴とする展示装置。
【請求項２】
フレーム（１１）が枠体（１１ａ）及び当該枠体（１１ａ）に嵌合可能な板材（１１ｂ）より成る請求項１に記載の展示装置。
【考案の詳細な説明】
【技術分野】
【０００１】
本考案は、絵画やポスターあるいはホワイトボード等に描写されたデザイン等を照射するために使用される展示装置に関し、より詳しくはブラックライトを照射することで、蛍光塗料で描かれた描写物を発光させるために使用される展示装置に関する。
【背景技術】
【０００２】
ブラックライト（ＵＶライト）とは、紫外線の中の長波長側の近紫外線(波長３１５〜４００ｎｍ)を放射するランプをいう。この光自体はほとんど目に見えないが、蛍光塗料などを塗ったものに照射すると暗闇で鮮やかに光って見えるために、ブラックライトと呼ばれている。
【０００３】
係るブラックライトの構造は、蛍光ランプに、近紫外線領域の発光スペクトルを備えた発光体と、可視光線領域を遮蔽する濃青色のフィルタを組合せたものが一般的であるが、近年は光源にＬＥＤを採用したものもある。
【０００４】
係るブラックライトの特性を利用し、ブラックライト照射時と、非照射時の描写が異なるトリックアートと呼ばれる展示物がある。これは、蛍光塗料と一般塗料を併用した描写物であり、照射時と、非照射時の描写に変化をもたらすことが可能なものである。
【０００５】
特許文献１には額縁内に紫外線灯を装備し、蛍光塗料で描かれた展示物を照射する「トリックアート額縁」なるものが開示されている。
【０００６】
特許文献２には、紫外線により発光等する特殊な塗料が部分的に塗布された絵画等を照明する照明装置として、紫外線灯からなる第１の照明灯と、白熱灯からなる第２の照明灯を額縁上部外側に取り付けた額縁が開示されている。
【先行技術文献】
【特許文献】
【０００７】
【特許文献１】特開２００６−３４３２１号公報
【特許文献２】特開平１０−１６２６１０号公報
【考案の概要】
【考案が解決しようとする課題】
【０００８】
ブラックライトを照射することで発光させるポスター等は、インテリアとして多数販売されている。これらポスターを発光させるためには、図６に示すように額縁２の下部にブラックライト１ａを装備する照明器具１を取り付ける必要がある。
【０００９】
かかる壁面に直接照明器具を取り付けるタイプの場合、壁面Ａにネジ３を用いて照明器具１を取り付ける必要があり、壁面Ａに穴が開いてしまうという難点がある。また、ブラックライト１ａの位置が壁面Ａから近いため、ブラックライト１ａから発せられる紫外線光が額縁２の上部まで届きにくく、展示された描写物の上部を効率的に発光させることができないとう難点もある。
【００１０】
そこで本考案は、壁に穴を開けることなく照明器具を取り付け可能であり、しかも描写物をくまなく照射することが可能であり、一般家庭でも容易にトリックアートを楽しめる展示装置を提供することを目的とする。
【課題を解決するための手段】
【００１１】
上記の目的を達成する本考案の構成は次の通りである。
【００１２】
（１）  請求項１に記載の考案は、展示物を貼り付けることが可能な板材であるフレームの下部に突出辺を設け、該突出辺に係止する係止片をブラックライトを備える照明器具本体に設け、照明器具本体から斜め上方に延設されたブラックライト取り付け部を設けて構成した。
【００１３】
（２）  請求項２に記載の考案は、請求項１に記載の展示装置において、フレームを、枠体及び当該枠体に嵌合可能な板材とにより構成した。
【考案の効果】
【００１４】
上記のように構成される本考案が、如何に作用して課題を解決するかを図面を参照しながら概説する。
【００１５】
図１は本考案の斜視図であり、図２は本考案にかかる展示装置１０を、壁面Ａに取り付けた状態を示すものである。展示物を取り付けるフレーム１１の下部には、突出辺１２が設けられている。この突出辺１２に、照明器具本体２１に設けた係止片２２を係止することで、照明器具本体２１をフレーム１１に係止するものである。
【００１６】
かように本考案によれば、照明器具本体２１自体を壁面Ａにネジ着する必要が無く、すなわち、壁に穴を開けることなく照明器具を取り付け可能となるのである。
【００１７】
また、ブラックライト取り付け部２３が、照明器具本体２１から斜め上方に延設されていることから、ブラックライト３０とフレーム１１との距離がとれ、ブラックライト３０から照射される紫外線が、フレーム１１に展示された展示物の上方までくまなく届くことになり、描写物の上部を効率的に発光させることが可能となるのである。
【００１８】
以上のように本考案によれば手軽にブラックライトを照射することが可能な展示装置を提供でき、一般家庭においても容易にトリックアートが楽しめるものである。更には、専門業者に依頼することなくとも、店舗の広告等に利用できるものである。
【図面の簡単な説明】
【００１９】
【図１】本考案の斜視図
【図２】本考案の実施状態を示す説明図
【図３】ａ  照明器具の正面図    ｂ  同右側面図
【図４】フレームの斜視図
【図５】請求項２におけるフレームの説明図
【図６】従来例の説明図
【考案を実施するための形態】
【００２０】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２１】
本考案に係る展示装置１０はフレーム１１と照明器具２０により構成されるものである。
【００２２】
フレーム１１は、展示物を貼り付けることが可能な板材であり、図４に示すように、その下部に前方に延設される突出辺１２が設けてある。フレーム１１の素材としては、樹脂、金属、木材等任意の素材を利用可能である。
【００２３】
請求項２に記載の考案においては、図５に示すようにフレーム１１を、枠体１１ａ及び当該枠体１１ａに嵌合可能な板材１１ｂとにより構成した。
【００２４】
枠体１１ａはアルミ製の枠材であり、各辺の長手方向中央に溝１１ｃが設けてある。この溝１１ｃに板材１１ｂを嵌め込むことでフレーム１１を形成するものである。
【００２５】
また、フレーム１１としてホワイトボードを用いても構わない。ホワイトボードマーカーに蛍光剤を含有させることで、フレーム１１に消去可能、かつ発光する文字やデザインを自在に描写することが可能となり、より自由にトリックアートを楽しむことが可能となる。
【００２６】
図３に示される照明器具２０は、照明器具本体２１とブラックライト取り付け部２３により成るものである。
【００２７】
照明器具本体２１は、ブラックライト３０を点灯又は消灯する制御手段となる制御回路を内蔵している。ブラックライト取り付け部２３は板材であり、照明器具本体２１の上面から、斜め上方に延設されるものである。
【００２８】
図３ａに示されるように、照明器具本体２１の上面左右両端には、正面視Ｌ字型の係止片２２が設けてある。係止片２２の屈曲された一辺は照明器具本体２１にネジ等で、他辺が照明器具本体２１の上面と隔たった状態で固定されている。この隔たりはフレーム１１の突出辺１２を緩挿可能な距離に設けてある。
【符号の説明】
【００２９】
１０・・展示装置
１１・・フレーム      １１ａ・・枠体      １１ｂ・・板材
１２・・突出辺
２０・・照明器具      ２１・・照明器具本体      ２２・・係止片      
２３・・ブラックライト取り付け部
３０・・ブラックライト
【図１】
0003192827.tif 000003
【図２】
0003192827.tif 000004
【図３】
0003192827.tif 000005
【図４】
0003192827.tif 000006
【図５】
0003192827.tif 000007
【図６】
0003192827.tif 000008